(57)【要約】【課題】選択回路を介して複数のセンサの検出信号を選択的に取り込んでバーナの作動を制御するときに、バーナの制御の応答性が悪化することを抑制した燃焼装置を提供する。【解決手段】大バーナ１０に対して備えられたセンサの検出信号ＴＣH，ＴＨHと、中バーナに対して備えられたセンサの検出信号ＴＣM，ＴＨMと、小バーナに対して備えられたセンサの検出信号ＴＣS，ＴＨSと、グリルバーナ４０に対して備えられセンサの検出信号ＴＣG，ＴＣGR，ＴＣGL，ＴＨG1，ＴＨG2とについて、予め設定された優先条件に従って優先度を設定し、該優先度に応じて選択回路１２０により各検出信号をＡＤ入力ポートＡＤ1〜ＡＤ6に割付けるセンサ選択手段１１１を備える。【選択図】  図１
2009174810.tif 000002
【特許請求の範囲】
【請求項１】
バーナと、
該バーナの燃焼状態を検出する燃焼センサと、該バーナにより加熱される被加熱物の温度を検出する温度センサとを少なくとも含む複数のセンサと、
該複数のセンサの個数よりも少ない点数のアナログ入力ポートを有するアナログ入力回路と、
少なくとも前記複数のセンサの個数分の入力ポートを有して、前記複数のセンサが該入力ポートに個別に接続されると共に、少なくとも前記アナログ入力回路のアナログ入力ポートの個数分の出力ポートを有して、該出力ポートが前記アナログ入力回路のアナログ入力ポートに個別に接続され、該入力ポートに入力される前記複数のセンサの検出信号を、選択的に該出力ポートに割付けて出力する選択回路と、
該選択回路を介して前記アナログ入力回路に入力される前記各センサの検出信号に基いて、前記バーナの作動を制御する燃焼制御手段とを備えた燃焼装置において、
前記選択回路における前記複数のセンサの検出信号の前記出力ポートへの割付けを、所定の優先条件に従って行なうセンサ選択手段を備えたことを特徴とする燃焼装置。
【請求項２】
前記バーナを複数個備え、
前記燃焼センサとして、各バーナの燃焼状態を検出する燃焼センサを各バーナ毎に備え、
前記温度センサとして、各バーナにより加熱される被加熱物の温度を検出する温度センサを各バーナ毎に備えて、
前記優先条件として、燃焼中のバーナに備えられた前記燃焼センサ又は前記温度センサの検出信号を、燃焼停止中のバーナに備えられた前記燃焼センサ及び前記温度センサの検出信号よりも優先して、前記選択回路の出力ポートに割付けることが設定されていることを特徴とする請求項１記載の燃焼装置。
【請求項３】
前記バーナを複数個備え、
前記燃焼センサとして、各バーナの燃焼状態を検出する燃焼センサを各バーナ毎に備え、
前記温度センサとして、各バーナにより加熱される被調理物の温度を検出する温度センサを各バーナ毎に備えて、
前記優先条件として、前記温度センサの検出温度が所定温度以上であるバーナに備えられた前記燃焼センサ又は前記温度センサの検出信号を、前記温度センサの検出温度が該所定温度よりも低いバーナに備えられた前記燃焼センサ及び前記温度センサの検出信号よりも優先して、前記選択回路の出力ポートに割付けることが設定されていることを特徴とする請求項１又は請求項２記載の燃焼装置。
【請求項４】
前記バーナとして、被調理物を加熱する複数のバーナを備え、
前記燃焼センサとして、各バーナの燃焼状態を検出する燃焼センサを各バーナ毎に備え、
前記温度センサとして、各バーナにより加熱される被調理物の温度を検出する温度センサを各バーナ毎に備え、
前記燃焼制御手段は、各バーナについて、前記温度センサにより検出される被加熱物の温度に応じて、前記バーナの作動を制御するセンサ調理運転を実行し、
前記優先条件として、前記センサ調理運転が実行されているバーナに備えられた前記温度センサの検出信号を、前記センサ調理運転が実行されていないバーナに備えられた前記燃焼センサ及び前記温度センサの検出信号よりも優先して、前記選択回路の出力ポートに割付けることが設定されていることを特徴とする請求項１記載の燃焼装置。
【発明の詳細な説明】
【技術分野】
【０００１】
本発明は、バーナの燃焼状態を検出する燃焼センサと該バーナにより加熱される被加熱物の温度を検出する温度センサとを含む複数のセンサを備え、各センサの検出信号を選択回路を介して入力する燃焼装置に関する。
【背景技術】
【０００２】
例えば、バーナにより調理物を加熱するガスコンロにおいては、バーナの燃焼状態を検出する燃焼センサや、調理物の温度を検出する温度センサ等の複数個のセンサが備えられている。そして、近年、ガスコンロの機能の高度化に伴なって、ガスコンロに備えられる各種センサの個数が増加している。
【０００３】
このように、多数のセンサの検出信号を入力するためには、マイクロコンピュータ等に備えられるＡＤ入力（アナログ−デジタル変換入力）ポートの点数を増加させることが望ましいが、ＡＤ入力ポートの個数の増加によりマイクロコンピュータのコストがアップするという不都合がある。
【０００４】
そこで、従来より、マイクロコンピュータに備えられたＡＤ入力ポートの点数よりも多い個数のセンサの検出信号を入力するための構成として、各センサの検出信号を選択回路を介して何れかのＡＤ入力ポートに選択的に割付けて出力するようにした構成が提案されている（例えば、特許文献１、特許文献２参照）。
【特許文献１】特開２００２−２１６９４２号公報
【特許文献２】特開２００３−１２１２７０号公報
【発明の開示】
【発明が解決しようとする課題】
【０００５】
上述したように、選択回路を介して各センサの検出信号をＡＤ入力ポートに入力する場合、ＡＤ入力ポートに入力するセンサの検出信号の割付け切換える際に、検出信号の切換動作に要する時間に加えて、センサの検出信号の衝突を回避するために、選択回路への各センサの検出信号の入力を遮断した状態を維持する時間も必要となる。
【０００６】
さらに、ＡＤ入力ポートに入力するセンサの検出信号を切換えるときに、ＡＤ入力ポートに設けられたコンデンサをセンサの検出信号により充放電する時間を確保して、センサの検出信号の切換に伴なう過渡的なＡＤ入力ポートへの入力電圧の変動を取り込まないようにする必要がある。
【０００７】
このように、選択回路を介して各センサの検出信号をＡＤ入力ポートに入力する場合には、選択回路によりＡＤ入力ポートに出力する各センサの検出信号を切換える際に要する時間によって、各センサの検出信号のサンプリング周期が長くなる。
【０００８】
そのため、燃焼装置において、各センサの検出信号を選択回路を介してＡＤ入力ポートに入力する構成としたときには、各センサの検出信号の入力タイミングの遅れにより、バーナの制御の応答性が悪化するおそれがある。
【０００９】
そこで、本発明は、選択回路を介して複数のセンサの検出信号を選択的に取り込んでバーナの作動を制御するときに、バーナの制御の応答性が悪化することを抑制した燃焼装置を提供することを目的とする。
【課題を解決するための手段】
【００１０】
本発明は上記目的を達成するためになされたものであり、バーナと、該バーナの燃焼状態を検出する燃焼センサと、該バーナにより加熱される被加熱物の温度を検出する温度センサとを少なくとも含む複数のセンサと、該複数のセンサの個数よりも少ない点数のアナログ入力ポートを有するアナログ入力回路と、少なくとも前記複数のセンサの個数分の入力ポートを有して、前記複数のセンサが該入力ポートに個別に接続されると共に、少なくとも前記アナログ入力回路のアナログ入力ポートの個数分の出力ポートを有して、該出力ポートが前記アナログ入力回路のアナログ入力ポートに個別に接続され、該入力ポートに入力される前記複数のセンサの検出信号を、選択的に該出力ポートに割付けて出力する選択回路と、該選択回路を介して前記アナログ入力回路に入力される前記各センサの検出信号に基いて、前記バーナの作動を制御する燃焼制御手段とを備えた燃焼装置の改良に関する。
【００１１】
そして、前記選択回路における前記複数のセンサの検出信号の前記出力ポートへの割付けを、所定の優先条件に従って行なうセンサ選択手段を備えたことを特徴とする。
【００１２】
かかる本発明によれば、前記センサ選択手段により、前記選択回路における前記複数のセンサの検出信号の前記出力ポートへの割付けが、前記優先条件に従って行なわれる。そのため、前記複数のセンサを優先条件を設けることなく均等に選択して順次前記出力ポートに割付ける場合に比べて、優先度が高いセンサのサンプリング周期を短くすることができる。そして、これにより、優先度が高いセンサのサンプリング周期が長くなることによって、前記燃焼制御手段による前記バーナの作動の制御の応答性が悪化することを抑制することができる。
【００１３】
また、前記バーナを複数個備え、前記燃焼センサとして、各バーナの燃焼状態を検出する燃焼センサを各バーナ毎に備え、前記温度センサとして、各バーナにより加熱される被加熱物の温度を検出する温度センサを各バーナ毎に備えて、前記優先条件として、燃焼中のバーナに備えられた前記燃焼センサ又は前記温度センサの検出信号を、燃焼停止中のバーナに備えられた前記燃焼センサ及び前記温度センサの検出信号よりも優先して、前記選択回路の出力ポートに割付けることが設定されていることを特徴とする。
【００１４】
かかる本発明によれば、前記センサ選択手段により、燃焼中のバーナに備えられた前記燃焼センサ又は前記温度センサの検出信号が、燃焼停止中のバーナに備えられた前記燃焼センサ及び前記温度センサの検出信号よりも優先して前記選択回路の出力ポートに割付けられる。そして、これにより、燃焼中のバーナに備えられた前記燃焼センサ又は前記温度センサのサンプリング周期を短くして、前記燃焼制御手段による燃焼中のバーナの作動の制御の応答性を向上させることができる。
【００１５】
また、前記バーナを複数個備え、前記燃焼センサとして、各バーナの燃焼状態を検出する燃焼センサを各バーナ毎に備え、前記温度センサとして、各バーナにより加熱される被調理物の温度を検出する温度センサを各バーナ毎に備えて、前記優先条件として、前記温度センサの検出温度が所定温度以上であるバーナに備えられた前記燃焼センサ又は前記温度センサの検出信号を、前記温度センサの検出温度が該所定温度よりも低いバーナに備えられた前記燃焼センサ及び前記温度センサの検出信号よりも優先して、前記選択回路の出力ポートに割付けることが設定されていることを特徴とする。
【００１６】
かかる本発明によれば、前記センサ選択手段により、前記温度センサの検出温度が前記所定温度以上であるバーナに備えられた前記燃焼センサ又は前記温度センサの検出信号が、前記温度センサの検出温度が前記所定温度よりも低いバーナに備えられた前記燃焼センサ及び前記温度センサの検出信号よりも、優先して前記選択回路の出力ポートに割付けられる。そして、これにより、前記燃焼制御手段は、被加熱物の温度が前記所定温度以上に上昇したバーナの作動を、該バーナに備えられた前記燃焼センサの検出温度から認識される被加熱物の状態又は前記温度センサの検出信号から認識される該バーナの状態を、短いサンプリング周期で監視しながら制御することができる。
【００１７】
また、前記バーナとして、被調理物を加熱する複数のバーナを備え、前記燃焼センサとして、各バーナの燃焼状態を検出する燃焼センサを各バーナ毎に備え、前記温度センサとして、各バーナにより加熱される被調理物の温度を検出する温度センサを各バーナ毎に備え、前記燃焼制御手段は、各バーナについて、前記温度センサにより検出される被加熱物の温度に応じて、前記バーナの作動を制御するセンサ調理運転を実行し、前記優先条件として、前記センサ調理運転が実行されているバーナに備えられた前記温度センサの検出信号を、前記センサ調理運転が実行されていないバーナに備えられた前記燃焼センサ及び前記温度センサの検出信号よりも優先して、前記選択回路の出力ポートに割付けることが設定されていることを特徴とする。
【００１８】
かかる本発明によれば、前記センサ選択手段により、前記センサ調理運転が実行されているバーナに備えられた前記温度センサの検出信号が、前記センサ調理運転が実行されていないバーナに備えられた前記燃焼センサ及び前記温度センサよりも優先して前記選択回路の出力ポートに割付けられる。これにより、前記センサ調理運転が実行されているバーナに備えられた前記温度センサのサンプリング周期を短くして、前記センサ調理運転における被加熱物の温度の変化をより精度良く検出することができる。
【発明を実施するための最良の形態】
【００１９】
本発明の実施の形態について、図１〜図７を参照して説明する。
【００２０】
図１を参照して、本発明の燃焼装置であるガスコンロ１は、天面に大バーナ１０と中バーナ２０と小バーナ３０とを備え、グリル庫内に上バーナ４０ａと下バーナ４０ｂとからなるグリルバーナ４０を備えている。なお、大バーナ１０、中バーナ２０、小バーナ３０、及びグリルバーナ４０は、本発明のバーナに相当する。
【００２１】
また、ガスコンロ１の前面に、各バーナの点火／消火スイッチ、火力調節スイッチ、後述するセンサ調理運転の設定スイッチ等が設けられた操作部１６０が備えられ、ガスコンロ１の天面の前方に、各バーナの使用状況や、調理物の検出温度に応じてバーナの燃焼量を制御するセンサ調理運転の設定等を表示する表示部１５１が備えられている。さらに、表示部１５１の近傍には、表示部１５１を冷却するためのファン１５２と、ファン１５２の温度を検出するファンサーミスタ１５３（本発明のセンサに相当する）とが備えられている。
【００２２】
大バーナ１０に対しては、調理物の温度を検出する大バーナサーミスタ１１（本発明の温度センサに相当する）と、大バーナ１０の燃焼状態を検出する大バーナ熱電対１２（本発明の燃焼センサに相当する）と、大バーナ１０に点火するための大バーナ点火電極１３とが備えられている。また、ガス供給管５には、大バーナ１０への燃料ガスの供給と遮断を切換える大バーナ電磁弁１５と、大バーナ１０への燃料ガスの供給流量を変更する大バーナ比例弁１４とが備えられている。
【００２３】
同様に、中バーナ２０に対しては、調理物の温度を検出する中バーナサーミスタ２１（本発明の温度センサに相当する）と、中バーナ２０の燃焼状態を検出する中バーナ熱電対２２（本発明の燃焼センサに相当する）と、中バーナ２０に点火するための中バーナ点火電極２３とが備えられている。また、ガス供給管５には、中バーナ２０への燃料ガスの供給と遮断とを切換える中バーナ電磁弁２５と、中バーナ２０への燃料ガスの供給流量を変更する中バーナ比例弁２４とが備えられている。
【００２４】
同様に、小バーナ３０に対しては、調理物の温度を検出する小バーナサーミスタ３１（本発明の温度センサに相当する）と、小バーナ３０の燃焼状態を検出する小バーナ熱電対３２（本発明の燃焼センサに相当する）と、小バーナ３０に点火するための小バーナ点火電極３３とが備えられている。また、ガス供給管５には、小バーナ３０への燃料ガスの供給と遮断とを切換える小バーナ電磁弁３５と、小バーナ３０への燃料ガスの供給流量を変更する小バーナ比例弁３４とが備えられている。
【００２５】
また、グリルバーナ４０に対しては、上バーナ４０ａの燃焼状態を検出する上バーナ熱電対４１（本発明の燃焼センサに相当する）と、上バーナ４０ａに点火するための上バーナ点火電極４２とが備えられ、下バーナ４０ｂには、下バーナ４０ｂの燃焼状態を検出する下バーナ左熱電対５２（本発明の燃焼センサに相当する）及び下バーナ右熱電対５１（本発明の燃焼センサに相当する）と、下バーナ４０ｂに点火するための下バーナ点火電極５３とが備えられている。
【００２６】
また、グリル庫内の温度を検出する第１グリルサーミスタ５４（本発明の温度センサに相当する）と第２グリルサーミスタ５５（本発明の温度センサに相当する）が備えられている。また、ガス供給管５には、上バーナ４０ａ及び下バーナ４０ｂへの燃料ガスの供給と遮断を切換えるグリル電磁弁４４と、上バーナ４０ａへの燃料ガスの供給流量を変更する上バーナ比例弁４３と、下バーナ４０ｂへの燃料ガスの供給流量を変更する下バーナ比例弁５６とが備えられている。
【００２７】
さらに、ガスコンロ１には、マイクロコンピュータ１１０や図示しないメモリ等からなる電子ユニットであって、直流電源１４２から供給される電力により作動するコントローラ１００が備えられ、コントローラ１００によってガスコンロ１の作動が制御される。直流電源１４２は、交流電源（例えばＡＣ１００Ｖの商用電源）を降圧、整流してＤＣ１２Ｖの直流電圧を出力する。また、コントローラ１００には、直流電源１４２の出力電圧を検出する電圧センサ１４３が備えられている。
【００２８】
コントローラ１００には、大バーナサーミスタ１１の検出信号ＴＨH、大バーナ熱電対１２の検出信号ＴＣH、中バーナサーミスタ２１の検出信号ＴＨM、中バーナ熱電対２２の検出信号ＴＣM、小バーナサーミスタ３１の検出信号ＴＨS、小バーナ熱電対３２の検出信号ＴＣS、第１グリルサーミスタ５４の検出信号ＴＨG1、第２グリルサーミスタ５５の検出信号ＴＨG2、上バーナ熱電対４１の検出信号ＴＣG、下バーナ左熱電対５２の検出信号ＴＣGL、下バーナ右熱電対５１の検出信号ＴＣGR、ファンサーミスタ１５３の検出信号ＴＨF、及び操作部１６０に備えられた各種スイッチの操作信号が入力される。
【００２９】
また、コントローラ１００から出力される制御信号によって、大バーナ点火電極１３、大バーナ比例弁１４、大バーナ電磁弁１５、中バーナ点火電極２３、中バーナ比例弁２４、中バーナ電磁弁２５、小バーナ点火電極３３、小バーナ比例弁３４、小バーナ電磁弁３５、グリル電磁弁４４、上バーナ点火電極４２、上バーナ比例弁４３、下バーナ点火電極５３、下バーナ比例弁５６、ファン１５２、及び表示部１５１の作動が制御される。
【００３０】
コントローラ１１０は、マイクロコンピュータ１１０と、１２個の検出信号ＴＨG1，ＴＨG2，ＴＣGR，ＴＣGL，ＴＣG，ＴＣH，ＴＨH，ＴＣM，ＴＨM，ＴＨM，ＴＣS，ＴＨS，ＴＨFを入力し、マイクロコンピュータ１１０から出力される選択信号Ａ1〜Ｄ1，Ａ2〜Ｄ2，Ａ3〜Ｄ3，Ａ4〜Ｄ4，Ａ5〜Ｄ5，Ａ6〜Ｄ6に従って、該１２個の検出信号のうち６点の出力に割り付ける検出信号を選択する選択回路１２０を備えている。
【００３１】
また、コントローラ１１０は、第１グリルサーミスタ５４による検出範囲を、第１グリルサーミスタ５４への通電量を変更することによって、断線検知範囲、低温検出範囲、及び高温検出範囲に切換える検出範囲切換回路１３１を備えている。なお、検出範囲切換回路１３１による検出範囲の切換は、マイクロコンピュータ１１０から出力される制御信号によって行われる。
【００３２】
同様に、コントローラ１００には、第２グリルサーミスタ５５用の検出範囲切換回路１３２、大バーナサーミスタ１１用の検出範囲切換回路１３３、中バーナサーミスタ２１用の検出範囲切換回路１３４、小バーナサーミスタ３１用の検出範囲切換回路１３５、及びファンサーミスタ１５３用の検出範囲切換回路１３６が備えられている。
【００３３】
また、マイクロコンピュータ１１０は、所定の制御プログラムを実行することにより、選択回路１２０に出力する選択信号Ａ1〜Ｄ1，Ａ2〜Ｄ2，Ａ3〜Ｄ3，Ａ4〜Ｄ4，Ａ5〜Ｄ5，Ａ6〜Ｄ6を決定するセンサ選択手段１１１と、各バーナの作動を制御する燃焼制御手段１１２として機能する。
【００３４】
次に、図２を参照して、選択回路１２０とマイクロコンピュータ１１０間の接続態様について説明する。
【００３５】
選択回路１２０は、６個の１２チャネルのアナログマルチプレクサ１２１〜１２６からなる。各アナログマルチプレクサ１２１〜１２６は、１２点の入力ポートＹ1〜Ｙ12と１点の出力ポートＣＯＭと４点の制御ポートＡ〜Ｄとを有し、制御ポートＡ〜Ｄに入力される４bitのデジタル信号に従って、スイッチ回路１２７のいずれか１個の接点をＯＮ（導通状態）し、これにより、入力ポートＹ1〜Ｙ12のいずれか１点を出力ポートＣＯＭに導通させる。
【００３６】
そして、各アナログマルチプレクサ１２１〜１２６に対して、入力ポートＹ1に第１グリルサーミスタ５４が接続されてその検出信号ＴＨG1が入力され、入力ポートＹ2に第２グリルサーミスタ５５が接続されてその検出信号ＴＨG2が入力され、入力ポートＹ3に下バーナ右熱電対５１が接続されてその検出信号ＴＣGRが入力され、入力ポートＹ4に下バーナ左熱電対５２が接続されてその検出信号ＴＣGLが入力され、入力ポートＹ5に上バーナ熱電対４１が接続されてその検出信号ＴＣGが入力され、入力ポートＹ6に大バーナ熱電対１２が接続されてその検出信号ＴＣHが入力され、入力ポートＹ7に大バーナサーミスタ１１が接続されてその検出信号ＴＨHが入力され、入力ポートＹ8に中バーナ熱電対２２が接続されてその検出信号ＴＣMが入力され、入力ポートＹ9に中バーナサーミスタ２１が接続されてその検出信号ＴＨMが入力され、入力ポートＹ10に小バーナ熱電対３２が接続されてその検出信号ＴＣSが入力され、入力ポートＹ11に小バーナサーミスタ３１が接続されてその検出信号ＴＨSが入力され、入力ポートＹ12にファンサーミスタ１５３が接続されてその検出信号ＴＨFが入力されている。
【００３７】
また、アナログマルチプレクサ１２１の出力ポートＣＯＭがマイクロコンピュータ１１０のＡＤ（アナログ−デジタル変換）入力ポートＡＤ1に接続され、アナログマルチプレクサ１２２の出力ポートＣＯＭがマイクロコンピュータ１１０のＡＤ入力ポートＡＤ2に接続され、アナログマルチプレクサ１２３の出力ポートＣＯＭがマイクロコンピュータ１１０のＡＤ入力ポートＡＤ3に接続され、アナログマルチプレクサ１２４の出力ポートＣＯＭがマイクロコンピュータ１１０のＡＤ入力ポートＡＤ4に接続され、アナログマルチプレクサ１２５の出力ポートＣＯＭがマイクロコンピュータ１１０のＡＤ入力ポートＡＤ５に接続され、アナログマルチプレクサ１２６の出力ポートＣＯＭがマイクロコンピュータ１１０のＡＤ入力ポートＡＤ6に接続されている。
【００３８】
なお、マイクロコンピュータ１１０のＡＤ入力ポートＡＤ1〜ＡＤ7は、本発明のアナログ入力回路に相当する。
【００３９】
そして、センサ選択手段１１１は、アナログマルチプレクサ１２１の制御ポートＡ〜Ｄに入力するＡ1〜Ｄ1を変更することにより、１２個の検出信号（ＴＨG1，ＴＨG2，ＴＣGR，ＴＣGL，ＴＣG，ＴＣH，ＴＨH，ＴＣM，ＴＨM，ＴＣS，ＴＨS，ＴＨF）のいずれかを選択して、アナログマルチプレクサ１２１の出力ポートＣＯＭに割り付け、マイクロコンピュータ１１０のＡＤ入力ポートＡＤ1に入力する。
【００４０】
同様にして、センサ選択手段１１１は、Ａ2〜Ｄ2を変更することにより１２個の検出信号のいずれかを選択してＡＤ入力ポートＡＤ2に入力し、Ａ3〜Ｄ3を変更することにより１２個の検出信号のいずれかを選択してＡＤ入力ポートＡＤ3に入力し、Ａ4〜Ｄ4を変更することにより１２個の検出信号のいずれかを選択してＡＤ入力ポートＡＤ4に入力し、Ａ5〜Ｄ5を変更することにより１２個の検出信号のいずれかを選択してＡＤ入力ポートＡＤ5に入力し、Ａ6〜Ｄ6を変更することにより１２個の検出信号のいずれかを選択してＡＤ入力ポートＡＤ6に入力する。
【００４１】
そして、センサ選択手段１１１は、選択回路１２０による１２個の検出信号（ＴＨG1，ＴＨG2，ＴＣGR，ＴＣGL，ＴＣG，ＴＣH，ＴＨH，ＴＣM，ＴＨM，ＴＣS，ＴＨS，ＴＨF）の６点のＡＤ入力ポートＡＤ1〜ＡＤ6への割付を、予め設定された優先条件に従って各検出信号の優先度を設定することによって行なう。以下、図３〜図５に示したフローチャートに従って、センサ選択手段１１１による１２個の検出信号の６点のＡＤ入力ポートＡＤ1〜ＡＤ6への割付処理について説明する。
【００４２】
図３は、大バーナ１０、中バーナ２０、及び小バーナ３０についての検出信号の優先順位を設定するためのフローチャートである。センサ選択手段１１１は、図３中のＴＨxをＴＨHとすると共にＴＣxをＴＣHとした大バーナ１０用のフローチャートを実行して、大バーナ１０に関する検出信号ＴＨHとＴＣHの優先度を設定する。
【００４３】
同様に、センサ選択手段１１１は、図３中のＴＨxをＴＨMとすると共にＴＣxをＴＣMとした中バーナ２０用のフローチャートを実行して、中バーナ２０に関する検出信号ＴＨMとＴＣMの優先度を設定する。さらに、センサ選択手段１１１は、図３中のＴＨxをＴＨSとすると共にＴＣxをＴＣSとした小バーナ３０用のフローチャートを実行して、小バーナ３０に関する検出信号ＴＨSとＴＣSの優先度を設定する。
【００４４】
ここでは、大バーナ１０用のフローチャートについて説明する。センサ選択手段１１１は、ＳＴＥＰ１で大バーナ１０が使用中（燃焼中）であるか否かを判断する。そして、大バーナ１０が使用中であるときはＳＴＥＰ２に進み、センサ選択手段１１１は、大バーナサーミスタ１１の検出信号ＴＨHと大バーナ熱電対１２の検出信号ＴＣHを優先度Ｃに設定する。
【００４５】
一方、ＳＴＥＰ１で大バーナ１０が使用中でなかったときにはＳＴＥＰ１０に分岐し、センサ選択手段１１１は、大バーナサーミスタ１１の検出信号ＴＨHと大バーナ熱電対１２の検出信号ＴＣHの優先度を設定しない。
【００４６】
ＳＴＥＰ３で、センサ選択手段１１１は、操作部１６０により、大バーナ１０がセンサ調理運転を行なうセンサ調理モードに設定されて、燃焼制御手段１１２が大バーナ１０によるセンサ調理運転を実行しているか否かを判断する。そして、センサ調理モードに設定されているときはＳＴＥＰ４に進み、センサ選択手段１１１は、大バーナサーミスタ１１の検出信号ＴＨHを優先度Ｂに設定して、ＴＨHの優先度を高くする。一方、ＳＴＥＰ３でセンサ調理モードに設定されていなかったときにはＳＴＥＰ５に分岐し、センサ選択手段１１１は、ＴＨHの優先度を変更しない。
【００４７】
次に、ＳＴＥＰ５で、センサ選択手段１１１は大バーナサーミスタ１１による検出温度が予め設定された上限温度Ｔa（本発明の所定温度に相当する）以上であるか否かを判断する。そして、大バーナサーミスタ１１による検出温度が上限温度Ｔa以上であるときはＳＴＥＰ６に進み、センサ選択手段１１１は、大バーナサーミスタ１１の検出信号ＴＨH及び大バーナ熱電対１２の検出信号ＴＣHを優先度Ａに設定して、ＴＨHとＴＣHの優先度をさらに高くし、ＳＴＥＰ１に戻る。
【００４８】
一方、ＳＴＥＰ５で、大バーナサーミスタ１１による検出温度が上限温度Ｔaよりも低いときにはＳＴＥＰ１に分岐し、センサ選択手段１１１は、ＴＨH及びＴＣHの優先度を変更しない。
【００４９】
次に、図４は、グリルバーナ４０についての検出信号の優先順位を設定するためのフローチャートである。センサ選択手段１１１は、ＳＴＥＰ２０でグリルバーナ４０が使用中（上バーナ４０ａと下バーナ４０ｂの両方又は一方が燃焼中）であるか否かを判断する。
【００５０】
そして、グリルバーナ４０が使用中であったときはＳＴＥＰ２１に進み、センサ選択手段１１１は、第１グリルサーミスタ５４の検出信号ＴＨG1、第２グリルサーミスタ５５の検出信号ＴＨG2、上バーナ熱電対４１の検出信号ＴＣG、下バーナ右熱電対５１の検出信号ＴＣGR、及び下バーナ左熱電対５２の検出信号ＴＣGLを、優先度Ｃに設定する。
【００５１】
一方、ＳＴＥＰ２０でグリルが使用中でなかったときにはＳＴＥＰ３０に分岐し、センサ選択手段１１１は、第１グリルサーミスタ５４の検出信号ＴＨG1、第２グリルサーミスタ５５の検出信号ＴＨG2、上バーナ熱電対４１の検出信号ＴＣG、下バーナ右熱電対５１の検出信号ＴＣGR、及び下バーナ左熱電対５２の検出信号ＴＣGLの優先度を設定しない。
【００５２】
次に、ＳＴＥＰ２２で、センサ選択手段１１１は、操作部１６０によりグリルバーナ４０がセンサ調理モードに設定されて、燃焼制御手段１１２がグリルバーナ４０によるセンサ調理運転を実行しているか否かを判断する。そして、センサ調理モードに設定されているときはＳＴＥＰ２３に進み、センサ選択手段１１１は、第１グリルサーミスタ５４の検出信号ＴＨG1、第２グリルサーミスタ５５の検出信号ＴＨG2、上バーナ熱電対４１の検出信号ＴＣG、下バーナ右熱電対５１の検出信号ＴＣGR、及び下バーナ左熱電対５２の検出信号ＴＣGLを、優先度Ｂに設定する。
【００５３】
一方、ＳＴＥＰ２２でセンサ調理モードに設定されていなかったときにはＳＴＥＰ２４に分岐し、センサ選択手段１１１は、第１グリルサーミスタ５４の検出信号ＴＨG1、第２グリルサーミスタ５５の検出信号ＴＨG2、上バーナ熱電対４１の検出信号ＴＣG、下バーナ右熱電対５１の検出信号ＴＣGR、及び下バーナ左熱電対５２の検出信号ＴＣGLの優先度を変更しない。
【００５４】
また、ＳＴＥＰ２４で、センサ選択手段１１１は第１グリルサーミスタ５４又は第２グリルサーミスタ５５による検出温度が、予め設定された上限温度Ｔb（本発明の所定温度に相当する）以上であるか否かを判断する。そして、第１グリルサーミスタ５４又は第２グリルサーミスタ５５による検出温度が上限温度Ｔb以上であるときはＳＴＥＰ２３に進み、第１グリルサーミスタ５４の検出信号ＴＨG1及び上バーナ熱電対４１の検出信号ＴＣGを優先度Ａに設定して、ＴＨG1とＴＣGの優先度を高くしてＳＴＥＰ２０に戻る。
【００５５】
一方、ＳＴＥＰ２４で、第１グリルサーミスタ５４及び第２グリルサーミスタ５５による検出温度が、いずれも上限温度Ｔbよりも低いときにはＳＴＥＰ２０に分岐し、センサ選択手段１１１は、第１グリルサーミスタ５４の検出信号ＴＨG1及び上バーナ熱電対４１の検出信号ＴＣGの優先度を変更しない。
【００５６】
図３、図４のフローチャートを実行することにより、センサ選択手段１１１は、(1)各バーナが使用されているか否か、(2)各バーナによるセンサ調理運転が実行されているか否か、(3)各バーナによる被加熱物（調理物及びグリル庫内の雰囲気）の温度が上限温度以上であるか否か、という三つの優先条件に従って、１１個の検出信号（ＴＨG1，ＴＨG2，ＴＣGR，ＴＣGL，ＴＣG，ＴＣH，ＴＨH，ＴＣM，ＴＨM，ＴＣS，ＴＨS）の優先度を、優先度の設定なし、優先度Ｃ、優先度Ｂ、優先度Ａという４段階に設定する。なお、ファンサーミスタ１５３の検出信号ＴＨFについては、優先度は設定されない。
【００５７】
そして、センサ選択手段１１１は、図５に示したフローチャートを実行して、１２個の検出信号（ＴＨG1，ＴＨG2，ＴＣGR，ＴＣGL，ＴＣG，ＴＣH，ＴＨH，ＴＣM，ＴＨM，ＴＣS，ＴＨS，ＴＨF）を、６点のＡＤ入力ポートＡＤ1〜ＡＤ6に割付ける。
【００５８】
図５のＳＴＥＰ４０で、センサ選択手段１１１は、各優先度Ａ，Ｂ，Ｃを設定した検出信号の個数を集計する。そして、続くＳＴＥＰ４１で、センサ選択手段１１１は、ＡＤ入力の割付可能数の初期値として６（ＡＤ1〜ＡＤ6）をセットする。
【００５９】
次のＳＴＥＰ４２で、センサ選択手段１１１は、優先度Ａの設定個数（優先度Ａが設定された検出信号の個数）が割付可能数よりも少ないか否かを判断する。そして、優先度Ａの設定個数が割付可能数よりも少ないときはＳＴＥＰ４３に進み、センサ選択手段１１１は、割付可能数から優先度Ａの設定個数を減じたものを新たな割付可能数とする。
【００６０】
また、続くＳＴＥＰ４４で、センサ選択手段１１１は、優先度Ａに設定された検出信号をいずれかのＡＤ入力ポートに割付け、優先度Ａに設定された検出信号がいずれかのＡＤ入力ポートに常時入力された状態とする。
【００６１】
一方、ＳＴＥＰ４２で優先度Ａの設定個数が割付可能数以上であるときには、優先度Ａに設定された検出信号の全てをいずれかのＡＤ入力ポートに１対１に固定して割り付けることができない。そのため、この場合はＳＴＥＰ５１に分岐し、センサ選択手段１１１は、１２個の検出信号（ＴＨG1，ＴＨG2，ＴＣGR，ＴＣGL，ＴＣG，ＴＣH，ＴＨH，ＴＣM，ＴＨM，ＴＣS，ＴＨS，ＴＨF）を、ローテーションしてＡＤ入力ポートＡＤ1〜ＡＤ6に順次割付ける設定とする。
【００６２】
次に、ＳＴＥＰ４５で、センサ選択手段１１１は、優先度Ｂの設定個数（優先度Ｂが設定された検出信号の個数）が割付可能数よりも少ないか否かを判断する。そして、優先度Ｂの設定個数が割付可能数よりも少ないときはＳＴＥＰ４６に進み、センサ選択手段１１１は、割付可能数から優先度Ｂの設定個数を減じたものを新たな割付可能数とする。
【００６３】
また、続くＳＴＥＰ４７で、センサ選択手段１１１は、優先度Ｂに設定された検出信号を、ＳＴＥＰ４４で優先度Ａに設定された検出信号が割り付けられなかったいずれかのＡＤ入力ポートに割付け、優先度Ｂに設定された検出信号がいずれかのＡＤ入力ポートに常時入力された状態とする。
【００６４】
一方、ＳＴＥＰ４５で優先度Ｂの設定個数が割付可能数以上であるときには、優先度Ｂに設定された検出信号の全てを、いずれかのＡＤ入力ポートに１対１に固定して割り付けることができない。そのため、この場合はＳＴＥＰ５１に分岐し、センサ選択手段１１１は、未選択の検出信号（優先度Ａが設定された検出信号を除いた検出信号）を、ローテーションして、優先度Ａに設定された検出信号が割付けられていないＡＤ入力ポートに順次割付ける設定とする。
【００６５】
次に、ＳＴＥＰ４８で、センサ選択手段１１１は、優先度Ｃの設定個数（優先度Ｃが設定された検出信号の個数）が割付可能数よりも少ないか否かを判断する。そして、優先度Ｃの設定個数が割付可能数よりも少ないときはＳＴＥＰ４９に進み、センサ選択手段１１１は、割付可能数から優先度Ｃの設定個数を減じたものを新たな割付可能数とする。
【００６６】
また、続くＳＴＥＰ５０で、センサ選択手段１１１は、優先度Ｃに設定された検出信号を、優先度Ａ又は優先度Ｂに設定された検出信号が割り付けられていないいずれかのＡＤ入力ポートに割付け、優先度Ｃに設定された検出信号がいずれかのＡＤ入力ポートに常時入力された状態とする。
【００６７】
一方、ＳＴＥＰ４８で優先度Ｃの設定個数が割付可能数以上であるときには、優先度Ｃに設定された検出信号の全てを、優先度Ａ又はＢが設定された検出信号が割り付けられていないＡＤ入力ポートに１対１に割付けることができない。そのため、この場合はＳＴＥＰ５１に分岐し、センサ選択手段１１１は、未選択の検出信号（優先度Ａ又はＢに設定された検出信号を除いた検出信号）を、優先度Ａ又はＢに設定された検出信号が割付けられていないＡＤ入力ポートに順次割付ける設定とする。
【００６８】
また、ＳＴＥＰ５０からＳＴＥＰ５２に進んだときには、センサ選択手段１１１は、未選択の検出信号（優先度Ａ，Ｂ，Ｃのいずれかに設定された検出信号を除いた検出信号）を、ローテーションして、優先度Ａ，Ｂ，Ｃのいずれかに設定された検出信号が割付けられていないＡＤ入力ポートに順次割付ける。
【００６９】
次に、図６は、大バーナ１０と中バーナ２０が使用中であって、センサ選択手段１１１により、大バーナサーミスタ１１の検出信号ＴＨHと、大バーナ熱電対１２の検出信号ＴＣHと、中バーナサーミスタ２１の検出信号ＴＨMと、中バーナ熱電対２２の検出信号ＴＣMとが、優先度Ａ〜Ｃのいずれかに設定されると共に、小バーナ３０とグリルバーナ４０が使用されておらず、小バーナサーミスタ３１の検出信号ＴＨSと、小バーナ熱電対３２の検出信号ＴＣSと、第１グリルサーミスタ５４の検出信号ＴＨG1と、第２グリルサーミスタ５５の検出信号ＴＣG2と、上バーナ熱電対４１の検出信号ＴＣGと、下バーナ右熱電対５１の検出信号ＴＣRGと、下バーナ左熱電対５２の検出信号ＴＣLGとについては、優先度が設定されていない状況でのＡＤ入力ポートＡＤ1〜ＡＤ6への各検出信号の割付け態様を例示したタイミングチャートである。
【００７０】
なお、図１に示したように、ＡＤ入力ポートＡＤ7は電圧センサ１４３と接続され、直流電源１４２の出力電圧（電源電圧）の検出信号がＡＤ7に常時入力されている。
【００７１】
図６の例では、ＡＤ入力ポートＡＤ1に中バーナ熱電対２２の検出信号ＴＣMが常時割付けられ、ＡＤ入力ポートＡＤ2に大バーナ熱電対１２の検出信号ＴＣHが常時割付けられている。また、ＡＤ入力ポートＡＤ4に中バーナサーミスタ２１の検出信号ＴＨMが常時割付けられ、ＡＤ入力ポートＡＤ5に大バーナサーミスタ１１の検出信号ＴＨHが常時割付けされている。
【００７２】
そして、これにより、使用中の大バーナ１０と中バーナ２０について、バーナの燃焼状態と調理物の温度の検出を、選択回路１２０による割付けの切換に伴なう待ち時間を要することなく行なうことができ、燃焼制御手段１１２による大バーナ１０と中バーナ２０の制御応答性を高めることができる。
【００７３】
なお、中バーナサーミスタ２１については、検出範囲切換回路１３４により、断線検知範囲（ｔ10〜ｔ11，ｔ13〜ｔ14，ｔ16〜ｔ17，ｔ19〜ｔ20）と、低温検出範囲（ｔ11〜ｔ12，ｔ14〜ｔ15，ｔ17〜ｔ18，ｔ20〜ｔ21）と、高温検出範囲（ｔ12〜ｔ13，ｔ15〜ｔ16，ｔ18〜ｔ19，ｔ21〜ｔ22）に、検出範囲が順次切換えられて検出信号ＴＨMが入力される。
【００７４】
同様に、大バーナサーミスタ１１についても、検出範囲切換回路１３３により、断線検知範囲（ｔ10〜ｔ11，ｔ13〜ｔ14，ｔ16〜ｔ17，ｔ19〜ｔ20）と、低温検出範囲（ｔ11〜ｔ12，ｔ14〜ｔ15，ｔ17〜ｔ18，ｔ20〜ｔ21）と、高温検出範囲（ｔ12〜ｔ13，ｔ15〜ｔ16，ｔ18〜ｔ19，ｔ21〜ｔ22）とに、検出範囲が順次切換えられて検出信号ＴＨMが入力される。
【００７５】
一方、使用されていない小バーナ３０とグリルバーナ４０については、優先度が設定されていない、小バーナ熱電対３２の検出信号ＴＣSと、上バーナ熱電対４１の検出信号ＴＣGと、下バーナ右熱電対５１の検出信号ＴＣGRと、下バーナ左熱電対５２の検出信号ＴＣGLとが、ＡＤ入力ポートＡＤ3にローテーションして割付けられている。
【００７６】
そのため、ＡＤ入力ポートＡＤ3には、ＴＣGL（ｔ10〜ｔ11，ｔ14〜ｔ15，ｔ18〜ｔ19）、ＴＣS（ｔ11〜ｔ12，ｔ15〜ｔ16，ｔ19〜ｔ20）、ＴＣG（ｔ12〜ｔ13，ｔ16〜ｔ17，ｔ20〜ｔ21）、ＴＣGR（ｔ13〜ｔ14，ｔ17〜ｔ18，ｔ21〜ｔ22）が、順次切換えられて入力される。
【００７７】
また、優先度が設定されていない、小バーナサーミスタ３１の検出信号ＴＨSと、第１グリルサーミスタ５４の検出信号ＴＨG1と、第２グリルサーミスタ５５の検出信号ＴＨG2と、ファンサーミスタ１５３の検出信号ＴＨFとが、ＡＤ入力ポートＡＤ6にローテーションして割付けられている。
【００７８】
そのため、ＡＤ入力ポートＡＤ6については、ＴＨG1（ｔ10〜ｔ13）と、ＴＨG2（ｔ13〜ｔ16）と、ＴＨS（ｔ16〜ｔ19）と、ＴＨF（ｔ19〜ｔ22）とが、順次切換えられて周期Ｔ１毎に入力される。なお、第１グリルサーミスタ５４については、検出範囲切換回路１３１により、断線検知範囲（ｔ10〜ｔ11）と低温検出範囲（ｔ11〜ｔ12）と高温検出範囲（ｔ12〜ｔ13）とに、検出範囲が順次切換えられて検出信号ＴＨG1が入力される。
【００７９】
同様に、第２グリルサーミスタ５５については、検出範囲切換回路１３２により、断線検知範囲（ｔ13〜ｔ14）と低温検出範囲（ｔ14〜ｔ15）と高温検出範囲（ｔ15〜ｔ16）とに、検出範囲が順次切換えられて検出信号ＴＨG2が入力される。また、小バーナサーミスタ３１については、検出範囲切換回路１３５により、断線検知範囲（ｔ16〜ｔ17）と低温検出範囲（ｔ17〜ｔ18）と高温検出範囲（ｔ18〜ｔ19）とに、検出範囲が順次切換えられて検出信号ＴＨSが入力される。また、ファンサーミスタ１５３については、検出範囲切換回路１３６により、断線検知範囲（ｔ19〜ｔ20）と低温検出範囲（ｔ20〜ｔ21）と高温検出範囲（ｔ21〜ｔ22）とに、検出範囲が順次切換えられて検出信号ＴＨFが入力される。
【００８０】
次に、図７は、グリルバーナ４０が使用中であって、センサ選択手段１１１により、上バーナ熱電対４１の検出信号ＴＣGと、下バーナ右熱電対５１の検出信号ＴＣGRと、下バーナ左熱電対５２の検出信号ＴＣGLと、第１グリルサーミスタ５４の検出信号ＴＨG1と、第２グリルサーミスタ５５の検出信号ＴＨG2とが、優先度Ａ〜Ｃのいずれかに設定されると共に、大バーナ１０と中バーナ２０と小バーナ３０とが使用されておらず、大バーナ熱電対１２の検出信号ＴＣHと、中バーナ熱電対２２の検出信号ＴＣMと、小バーナ熱電対３２の検出信号ＴＣSと、大バーナサーミスタ１１の検出信号ＴＨHと、中バーナサーミスタ２１の検出信号ＴＨMと、小バーナサーミスタ３１の検出信号ＴＨSとについては、優先度が設定されていない状況でのＡＤ1〜ＡＤ6への検出信号の割付け態様を例示したタイミングチャートである。
【００８１】
図７の例では、ＡＤ入力ポートＡＤ1に上バーナ熱電対４１の検出信号ＴＣGが常時割付けられ、ＡＤ入力ポートＡＤ2に下バーナ左熱電対５２の検出信号ＴＣGLが常時割付けられ、ＡＤ入力ポートＡＤ3に下バーナ右熱電対５１の検出信号ＴＣGRが常時割付けられている。また、ＡＤ入力ポートＡＤ5に第１サーミスタ５４の検出信号ＴＨG1が常時割付けられ、ＡＤ入力ポートＡＤ6に第２サーミスタ５５の検出信号ＴＨG2が常時割付けられている。
【００８２】
そして、これにより、使用中のグリルバーナ４０について、バーナの燃焼状態と調理物の温度の検出を、選択回路１２０による割付けの切換に伴なう待ち時間を要することなく行なうことができ、燃焼制御手段１１２によるグリルバーナ４０の制御応答性を高めることができる。
【００８３】
なお、第１グリルサーミスタ５４については、検出範囲切換回路１３１により、断線検知範囲（ｔ30〜ｔ31，ｔ33〜ｔ34，ｔ36〜ｔ37，ｔ39〜ｔ40）と、低温検出範囲（ｔ31〜ｔ32，ｔ34〜ｔ35，ｔ37〜ｔ38，ｔ40〜ｔ41)と、高温検出範囲（ｔ32〜ｔ33，ｔ35〜ｔ36，ｔ38〜ｔ39，ｔ41〜ｔ42）とに、検出範囲が順次切換えられて検出信号ＴＨG1が入力される。
【００８４】
同様に、第２グリルサーミスタ５５についても、検出範囲切換回路１３２により、断線検知範囲（ｔ30〜ｔ31，ｔ33〜ｔ34，ｔ36〜ｔ37，ｔ39〜ｔ40）と、低温検出範囲（ｔ31〜ｔ32，ｔ34〜ｔ35，ｔ37〜ｔ38，ｔ40〜ｔ41)と、高温検出範囲（ｔ32〜ｔ33，ｔ35〜ｔ36，ｔ38〜ｔ39，ｔ41〜ｔ42）とに、検出範囲が順次切換えられて検出信号ＴＨG2が入力される。
【００８５】
一方、使用されていない大バーナ１０と中バーナ２０と小バーナ３０については、優先度が設定されていない、大バーナ熱電対１２の検出信号ＴＣHと、大バーナサーミスタ１１の検出信号ＴＨHと、中バーナ熱電対２２の検出信号ＴＣMと、中バーナサーミスタ２１の検出信号ＴＨMと、小バーナ熱電対３２の検出信号ＴＣSと、小バーナサーミスタ３１の検出信号ＴＨSとが、ファンサーミスタ１５３の検出信号ＴＨFと共に、ＡＤ入力ポートＡＤ3にローテーションして割付けられている。
【００８６】
そのため、ＡＤ入力ポートＡＤ3については、ＴＣH（ｔ30〜ｔ31，ｔ33〜ｔ34，ｔ48〜ｔ49，ｔ51〜ｔ52）、ＴＣM（ｔ31〜ｔ32，ｔ34〜ｔ35，ｔ49〜ｔ50，ｔ52〜ｔ53）、ＴＣS（ｔ32〜ｔ33，ｔ35〜ｔ36，ｔ50〜ｔ51，ｔ53〜ｔ54）、ＴＨH（ｔ36〜ｔ39）、ＴＨM（ｔ39〜ｔ42）、ＴＨS（ｔ42〜ｔ45）、ＴＨF（ｔ45〜ｔ48）が、順次切換えられて入力される。
【００８７】
なお、大バーナサーミスタ１１については、検出範囲切換回路１３３により、断線検知範囲（ｔ36〜ｔ37）と低温検出範囲（ｔ37〜ｔ38）と高温検出範囲（ｔ38〜ｔ39）とに、検出範囲が順次切換えられて検出信号ＴＨHが入力される。
【００８８】
同様に、中バーナサーミスタ２１については、検出範囲切換回路１３４により、断線検知範囲（ｔ39〜ｔ40）と低温検出範囲（ｔ40〜ｔ41）と高温検出範囲（ｔ41〜ｔ42）とに、検出範囲が順次切換えられて検出信号ＴＨMが入力される。また、小バーナサーミスタ３１については、検出範囲切換回路１３５により、断線検知範囲（ｔ42〜ｔ43）と低温検出範囲（ｔ43〜ｔ44）と高温検出範囲（ｔ44〜ｔ45）とに、検出範囲が順次切換えられて検出信号ＴＨSが入力される。
【００８９】
また、ファンサーミスタ１５３については、検出範囲切換回路１３６により、断線検知範囲（ｔ45〜ｔ46）と低温検出範囲（ｔ46〜ｔ47）と高温検出範囲（ｔ47〜ｔ48）とに、検出範囲が順次切換えられて検出信号ＴＨFが入力される。
【００９０】
なお、本実施の形態では、図３及び図４に示したように、(1)各バーナが使用されているか否か、(2)各バーナによるセンサ調理運転が実行されているか否か、及び(3)各バーナによる被加熱物（調理物及びグリル庫内の雰囲気）の温度が上限温度以上であるか否か、という三つの優先条件を設定して、各センサ（サーミスタ及び熱電対）の検出信号の優先度を設定したが、これらのうちのいずれか一つの優先条件に従って該優先度を設定してもよい。さらに、他の優先条件に従って、各センサの検出信号の優先度を設定してもよい。
【００９１】
また、本実施の形態では、本発明の燃焼装置としてガスコンロを示したが、バーナと、該バーナの燃焼状態を検出する燃焼センサと、該バーナにより加熱される被加熱物の温度を検出する温度センサとを少なくとも含む複数のセンサを備えた燃焼装置であれば本発明の適用が可能である。
【００９２】
例えば、バーナにより熱交換器を加熱して該熱交換器内を流通する水を加熱し、該バーナの燃焼状態を検出する燃焼センサと該熱交換器から出湯される湯（被加熱物）の温度を検出する温度センサとを含む複数のセンサを備えた給湯装置について、本発明を適用することが可能である。
【００９３】
また、本実施の形態では、本発明の燃焼装置として、複数のバーナを備えたガスコンロを示したが、１個のバーナと、該バーナの燃焼状態を検出する燃料センサ及び該バーナにより加熱される被加熱物の温度を検出する温度センサとを少なくとも含む複数のセンサを備えた燃焼装置に対しても、本発明の適用が可能である。
【図面の簡単な説明】
【００９４】
【図１】本発明の加熱調理装置であるガスコンロの構成図。
【図２】図１に示した選択回路とマイクロコンピュータ間の接続部の回路図。
【図３】大バーナと中バーナと小バーナに備えられたセンサの優先度を設定する処理のフローチャート。
【図４】グリルに備えられたセンサの優先度を設定する処理のフローチャート。
【図５】設定された優先度に応じて各センサの検出信号をＡＤ入力ポートに割付ける処理のフローチャート。
【図６】大バーナと中バーナが使用され、小バーナとグリルバーナが使用されていない場合における各センサの検出信号のＡＤ入力ポートへの割付け態様を示したタイミングチャート。
【図７】グリルバーナが使用され、大バーナと中バーナと小バーナとが使用されていない場合における各センサの検出信号のＡＤ入力ポートへの割付け態様を示したタイミングチャート。
【符号の説明】
【００９５】
１…ガスコンロ（燃焼装置）、１０…大バーナ、１１…大バーナサーミスタ（温度センサ）、１２…大バーナ熱電対（燃焼センサ）、２０…中バーナ、２１…中バーナサーミスタ（温度センサ）、２２…中バーナ熱電対（燃焼センサ）、３０…小バーナ、３１…小バーナサーミスタ（温度センサ）、３２…小バーナ熱電対（燃焼センサ）、４０…グリルバーナ、４１…上バーナ熱電対（燃焼センサ）、５１…下バーナ右熱電対（燃焼センサ）、５２…下バーナ左熱電対（燃焼センサ）、５４…第１グリルサーミスタ（温度センサ）、５５…第２グリルサーミスタ（温度センサ）、１００…コントローラ、１１０…マイクロコンピュータ、１１１…センサ選択手段、１１２…燃焼制御手段、１２０…選択回路、１５３…ファンサーミスタ（センサ）
【図１】
2009174810.tif 000003
【図２】
2009174810.tif 000004
【図３】
2009174810.tif 000005
【図４】
2009174810.tif 000006
【図５】
2009174810.tif 000007
【図６】
2009174810.tif 000008
【図７】
2009174810.tif 000009